(57)【要約】【課題】  人力操作で圧縮空気を発生させ、圧縮空気で塵芥を除去できるようにする。【解決手段】  装置本体とノズルを備え、装置本体はシリンダと移動体を備え、シリンダ内にピストンが移動可能に設けられ、移動体とピストンは連結具で連結され、移動体は操作部を人力操作すると移動し、この移動により連結具が作動して、ピストンが移動体と逆方向に移動してシリンダ内の空気を圧縮し、圧縮空気がノズルから噴出して、人体に付着している塵芥を除去できるようにした。移動体とピストンを連結する連結具の両端部間を固定滑車及び動滑車に掛けて、ピストンの移動ストロークが操作部の操作ストロークよりも長くなるようにした。筒状のノズル内に圧縮通路があり、圧縮通路内に圧縮空気を旋回させる螺旋溝がある。ノズルは圧縮通路の外周に外気通路があり、ノズルの軸方向一端側にノズルの外の外気をノズル内に吸引する吸引口があり、他端側にノズル内に吸引された外気が排出する排出口がある。外気通路内に旋回用のガイドがある。【選択図】    図１
2018202380.tif 000002
【特許請求の範囲】
【請求項１】
人体に付着した塵芥を、圧縮空気の噴出により除去する塵芥除去装置において、
装置本体とノズルを備え、
装置本体はシリンダと移動体を備え、
シリンダ内にピストンが移動可能に設けられ、
移動体とピストンは連結具で連結され、
移動体は操作部を人力操作すると移動し、この移動により前記連結具が作動して、前記ピストンが移動体と逆方向に移動してシリンダ内の空気を圧縮し、圧縮空気が前記ノズルから噴出して、人体に付着している塵芥を除去することができる、
ことを特徴とする塵芥除去装置。
【請求項２】
請求項１記載の塵芥除去装置において、
移動体とピストンを連結する連結具の両端部間を固定滑車及び動滑車に掛けて、ピストンの移動ストロークが操作部の操作ストロークよりも長くなるようにした、
ことを特徴とする塵芥除去装置。
【請求項３】
請求項１又は請求項２記載の塵芥除去装置のノズルにおいて、
ノズルが筒状であり、ノズルはその圧縮通路内に、当該圧縮通路内を通過する圧縮空気を旋回させる螺旋溝がある、
ことを特徴とする塵芥除去装置用ノズル。
【請求項４】
請求項３記載の塵芥除去装置用ノズルにおいて、
筒状のノズルは細径の圧縮通路の外周に大径の外気通路があり、ノズルの軸方向一端側にノズルの外の外気をノズル内に吸引する吸引口があり、他端側にノズル内に吸引された外気が排出する排出口があり、吸引口から吸引して排出口から排出される空気を旋回させるガイドが外気通路内に複数本ある、
ことを特徴とする塵芥除去装置用ノズル。
【発明の詳細な説明】
【技術分野】
【０００１】
本発明は、身体或いは被服等（以下これらを「人体」という。）に付着した塵芥、花粉、その他の微粉末等（これらをまとめて「塵芥」という。）を風で飛散して除去することのできる塵芥除去装置に関する。
【背景技術】
【０００２】
従来、花粉除去装置として特許文献１〜４がある。
【先行技術文献】
【特許文献】
【０００３】
【特許文献１】特許第５３９１１１０号公報
【特許文献２】実用新案登録第３０４１９０９号公報
【特許文献３】特開２００８−２０１３０号公報
【特許文献４】特開２００９−１４６５９５号公報
【発明の概要】
【発明が解決しようとする課題】
【０００４】
特許文献１〜４の花粉除去装置は電気を使用するものであり、装置が大掛りであるため、設置場所に制約がある、設置に大掛かりな工事が必要となる、電気のない場所では使用できないといった問題があった。
【０００５】
本発明は、小型で設置場所の制約を受けにくく、足踏みや手動といった人力で操作して風を発生させ、その風で人体に付着した塵芥、特に花粉の除去に適する塵芥除去装置を提供することを目的とする。
【課題を解決するための手段】
【０００６】
本発明は、人体に付着している塵芥を風で飛散させて除去することのできる塵芥除去装置であり、操作部を人力で操作すると圧縮空気が発生し、その圧縮空気がノズルから噴射され、噴射された圧縮空気で人体に付着している塵芥を飛散させることができるようにした。操作部は足踏み式ペダルとすることも、手押し式とすることもできる。ノズルは圧縮空気を旋回させて（トルネード状にして）噴射することもできる。動滑車を使用して、シリンダ内のピストンの昇降ストロークを足踏み式ペダルの踏み込み長よりも長くして、圧縮空気の発生量が多くなるようにした。
【発明の効果】
【０００７】
本発明の塵芥除去装置は、人力駆動であるため電気のない場所でも使用可能であり、小型化でき、工場の入口、家庭の玄関などに設置して、外出先或いは工場内で身体に付着した塵芥を入室前に飛散させることができる。特に、花粉の飛散に効果的である。
【図面の簡単な説明】
【０００８】
【図１】本発明の塵芥除去装置の使用説明図。
【図２】本発明の塵芥除去装置であって、（ａ）はケース内の正面図、（ｂ）は（ａ）の左側面図、（ｃ）は（ａ）の右側面図。
【図３】図２（ａ）の拡大図。
【図４】図２（ｂ）の拡大図。
【図５】本発明の塵芥除去装置の動作説明図であって、（ａ）は足踏み式ペダルを踏み込んでケース内の移動体を降下させた状態のケース内正面説明図、（ｂ）は足踏み式ペダルの押し下げを開放してケース内の移動体が上昇する途中（戻る途中）のケース内正面説明図。
【図６】本発明におけるノズルの一例の縦断面図。
【図７】図６のノズルの外観図。
【発明を実施するための形態】
【０００９】
（塵芥除去装置の実施形態）
本発明の塵芥除去装置の一実施形態を、図面を参照して説明する。図１の塵芥除去装置は装置本体１内で発生させた圧縮空気を、ノズル２から噴出して人体に付着している塵芥を除去するものである。
【００１０】
［装置本体］
図１の装置本体１は、図２〜図４のように、ケース３内を空気室４と機構室５に区画してある。ケース３は木製、樹脂製といった各種材質製の板で囲われた薄い箱型である。
【００１１】
［空気室］
空気室４には樹脂製のパイプを縦向きに配置固定してシリンダ６としてある。パイプは円筒形のものが望ましい。シリンダ６の上端は栓７で閉塞されている。栓７の上には固定滑車１５ａ、１５ｂが取り付けられている。シリンダ６の内部にはピストン８が配置されている。ピストン８の外径はシリンダ６の内周面と摺接してシリンダ６内を気密にしてあるが、シリンダ６内を昇降できる程度でシリンダ６の内周面と摺接させてある。ピストン８は錘と兼用である。空気室４の下部にはケース３の外の空気（外部空気）を導入可能な吸入口９と、空気室４内で圧縮された圧縮空気を排出可能な排出口１０がある。吸入口９と排出口１０は背中合わせに開口されている。吸入口９には逆止弁２１を設けて（図２（ｂ））があり、外部から吸入された外気が逆流して外部に戻らないようにしてある。
【００１２】
［駆動機構］
ケース３内には駆動機構１１がある。駆動機構１１は機構室５内の移動体１２を、連結具１３で前記ピストン８に連結してある。連結具１３には紐が使用されている。移動体１２の下部には操作部１４が取り付けられている。図示した操作部１４は足踏み式のペダルである。このペダルの先端側は足踏みできるようにケース３の外に突出している。図示した操作部１４は手押し式のハンドルとか、人力で操作できる他の駆動方式とすることもできる。
【００１３】
移動体１２は板状であり、その左側面１２ａに二つの車輪１６ａが、右側面１２ｂに二つの車輪１６ｂが回転可能に取り付けられている。それら車輪１６ａ、１６ｂはケース３の縦フレーム５ａ、５ｂに摺接して横振れしないようにするとともに、円滑の昇降できるようにしてある。移動体１２の横桟１２ｃ、１２ｄには動滑車１５ｃ、１５ｅが取り付けられている。
【００１４】
紐状の連結具１３はその一端１３ａをピストン８に連結固定し、その先（上部）を固定滑車１５ａ、１５ｂの外周に掛け、その先を動滑車１５ｃの内側を通して固定滑車１５ｄの外周に掛け、その先を動滑車１５ｅの外側を通して、他端１３ｂを機構室５の縦フレーム５ａに固定してある。
【００１５】
［駆動機構の動作］
前記構成の駆動機構１１の動作と、圧縮空気の噴出は次のようにして行われる。図３の位置にある操作部（足踏み式ペダル）１４を足で下方に踏み込んで、図５（ｂ）のように降下させ、さらに図５（ａ）のように降下させると移動体１２が降下する。その降下に伴って動滑車１５ｃ、１５ｅも降下し、紐状の連結具１３が押し下げられて、シリンダ６内のピストン８が引き上げられる。この状態で操作部１４の踏み込みを開放すると、ピストン８が自重で降下し、それに伴って移動体１２が上昇して、降下前の元の位置（図３の位置）に戻る。ピストン８の降下により、空気室４内のピストン８よりも下の空間内の空気が圧縮され、圧縮された空気が排出口１０から排出され、パイプ１７を通ってパイプ１７の先に連結されているノズル２から外部に噴出される。この噴出により人体に付着している塵芥を吹き飛ばして排除することができる。動滑車を使用することにより、足踏み式ペダルのストローク（昇降範囲）が小さくともピストン８のストローク（動作長）が長くなり、圧縮空気の噴出量を多くなる。ピストン８の外周にはリング状のパッキンを取り付けて、シリンダ６の内周面との気密性を向上させることもできる。
【００１６】
［ノズル］
ノズル２は図６、図７のように円筒状であり、軸方向一端に連結筒２ａがあり、大径部２ｂの内部に細径筒状の圧縮通路１８があり、圧縮通路１８の外周に外気通路１９がある。ノズル２は向きを可変できるようにしてある。
【００１７】
圧縮通路１８の内周面には螺旋溝１８ａがある。螺旋溝１８ａは圧縮通路１８内を通過する圧縮空気を旋回させる（トルネードにする）ものである。
【００１８】
外気通路１９内には、その周方向に数本の凸条（ガイド）２０がある。それらガイド２０は捻じれている。ガイド２０の捻じれは外気通路１９内を通過する外気を旋回させる（トルネードにする）ものである。ガイド２０の捻じれ方向と螺旋溝１８ａの螺旋方向は同じ方向である。いずれも、右旋回、左旋回のいずれの方向への旋回であってもよい。
【００１９】
筒状のノズル２の大径部２ｂであって、外気通路１９の軸方向両端は開口しており、連結筒２ａ側の開口部を吸入口２ｃ、反対側の開口部が排出口２ｄとしてある。吸入口２ｃはノズル２の外の外気をノズル内に吸引するものであり、排出口２ｄはノズル内に吸引された外気が排出するものである。
【００２０】
［ノズル内の空気の流れ］
パイプ１７からノズル２の圧縮通路１８内に送り込まれた圧縮空気は、圧縮通路１８内を通過する間に螺旋溝１８ａに沿って旋回してトルネード状になって、圧縮通路１８の出口１８ｂから噴出される。この噴出により外気通路１９内が負圧になると、ノズル２の外の外気が吸入口２ｃから外気通路１９内に吸入される。吸入された空気はガイド２０の螺旋方向に旋回してトルネード状になって排出口２ｄから排出される。
【００２１】
（その他の実施形態）
前記実施形態は操作部１４が昇降し、その昇降に伴って移動体１２が上昇又は降下し、更に、ピストン８がシリンダ６内を昇降する場合であるが、操作部１４は他の方向、例えば左又は右に移動し、それにつれて移動体１２も右或いは左に移動し、ピストン８も右又は左に移動するようにしてもよい。
【００２２】
本発明の塵芥除去装置は、課題を解決可能であれば、装置本体１及びノズル２の形状、構造、駆動機構１１や移動体１２の形状、構造、動作、滑車の配置や個数等は前記実施形態以外の構成とすることもできる。
【産業上の利用可能性】
【００２３】
本発明の塵芥除去装置は、人体に付着した塵芥の除去だけでなく、電気部品や機械部品、陳列台に陳列されている商品、その他、各種部品或いは製品の塵芥除去にも使用可能である。
【符号の説明】
【００２４】
１      装置本体
２      ノズル
２ａ    連結筒
２ｂ    大径部
２ｃ    （外気通路の）吸入口
２ｄ    （外気通路の）排出口
３      ケース
４      空気室
５      機構室
５ａ、５ｂ  （機構室の）縦フレーム
６      シリンダ
７      栓
８      ピストン
９      吸入口
１０      排出口
１１      駆動機構
１２      移動体
１２ａ    （移動体の）左側面
１２ｂ    （移動体の）右側面
１２ｃ、１２ｄ  （移動体の）横桟
１３      連結具（紐）
１３ａ    （連結具の）一端
１３ｂ    （連結具の）他端
１４      操作部（ペダル）
１５ａ、１５ｂ、１５ｄ  固定滑車
１５ｃ、１５ｅ  動滑車
１６ａ、１６ｂ  車輪
１７      パイプ
１８      圧縮通路
１８ａ    螺旋溝
１８ｂ    （圧縮通路の）出口
１９      外気通路
２０      ガイド
２１      逆止弁
【図１】
2018202380.tif 000003
【図２】
2018202380.tif 000004
【図３】
2018202380.tif 000005
【図４】
2018202380.tif 000006
【図５】
2018202380.tif 000007
【図６】
2018202380.tif 000008
【図７】
2018202380.tif 000009